Podtech/llm-jp-corpus-v4-ja_patent huggingface dataset:
【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
被検体の内部に配置され、前記被検体の内部の情報を取得するカプセル型医療装置において、
前記カプセル型医療装置の表面に配置され、前記カプセル型医療装置が取得した前記情報を前記被検体の外部に対して出力するための通信が可能な複数の通信用電極と、
前記複数の通信用電極間の状態に基づき、前記複数の通信用電極において前記通信を行うことができる状態であるか否かを判定する判定部と、
前記判定部の判定結果に基づき、前記複数の通信用電極において前記通信を行うことができない状態である場合に、前記カプセル型医療装置が有する各部のうち、少なくとも一部の動作を停止させる制御部と、
を有することを特徴とするカプセル型医療装置。
【請求項２】
前記判定部は、前記複数の通信用電極間の状態に基づき、前記複数の通信用電極間が非開放状態である場合に、前記複数の通信用電極において前記通信を行うことができる状態であると判定するとともに、前記複数の通信用電極間が開放状態である場合に、前記複数の通信用電極において前記通信を行うことができない状態であると判定することを特徴とする請求項１に記載のカプセル型医療装置。
【請求項３】
前記判定部は、前記複数の通信用電極間のインピーダンスまたは電圧値の差に基づき、前記複数の通信用電極間が開放状態または非開放状態のいずれであるかを判定することを特徴とする請求項２に記載のカプセル型医療装置。
【請求項４】
前記カプセル型医療装置は、前記複数の通信用電極間が開放状態で保管されることを特徴とする請求項２または請求項３に記載のカプセル型医療装置。
【請求項５】
さらに、前記被検体の内部に存在する被写体を照明する照明部と、前記照明部により照明された前記被写体の像を撮像する撮像部と、を有し、
前記制御部は、前記判定部の判定結果に基づき、前記複数の通信用電極において前記通信を行うことができない状態である場合に、前記カプセル型医療装置が有する各部のうち、少なくとも、前記照明部及び前記撮像部の動作を停止させることを特徴とする請求項１乃至請求項４のいずれか一に記載のカプセル型医療装置。
【請求項６】
請求項１乃至請求項５のいずれか一つに記載のカプセル型医療装置を収容する中空の収容空間と、前記収容空間と外部とを連通させる開口を有する外殻体と、
前記開口を水密に閉じる蓋と、
を具備し、
前記外殻体と前記蓋は、防水性を有する絶縁物質により形成したことを特徴とするカプセル型医療装置収容用パッケージ。
【手続補正２】
【補正対象書類名】明細書
【補正対象項目名】発明の名称
【補正方法】変更
【補正の内容】
【発明の名称】カプセル型医療装置及びカプセル型医療装置収容用パッケージ
【手続補正３】
【補正対象書類名】明細書
【補正対象項目名】０００１
【補正方法】変更
【補正の内容】
【０００１】
本発明は、カプセル型医療装置に関し、特に、被検体の内部に配置され、該被検体の内部の情報を取得するカプセル型医療装置及びカプセル型医療装置収容用パッケージに関するものである。
【手続補正４】
【補正対象書類名】明細書
【補正対象項目名】０００７
【補正方法】変更
【補正の内容】
【０００７】
本発明は、前述した点に鑑みてなされたものであり、小型化可能であるとともに、未使用時における消費電力を抑制することのできるカプセル型医療装置及びカプセル型医療装置収容用パッケージを提供することを目的としている。
【手続補正５】
【補正対象書類名】明細書
【補正対象項目名】００１２
【補正方法】変更
【補正の内容】
【００１２】
本発明における第５のカプセル型医療装置は、前記第１乃至前記第４のカプセル型医療装置において、さらに、前記被検体の内部に存在する被写体を照明する照明部と、前記照明部により照明された前記被写体の像を撮像する撮像部と、を有し、前記制御部は、前記判定部の判定結果に基づき、前記複数の通信用電極において前記通信を行うことができない状態である場合に、前記カプセル型医療装置が有する各部のうち、少なくとも、前記照明部及び前記撮像部の動作を停止させることを特徴とする。
本発明におけるカプセル型医療装置収容用パッケージは、請求項１乃至請求項５のいずれか一つに記載のカプセル型医療装置を収容する中空の収容空間と、前記収容空間と外部とを連通させる開口を有する外殻体と、前記開口を水密に閉じる蓋と、を具備し、前記外殻体と前記蓋は、防水性を有する絶縁物質により形成したことを特徴とする。
【手続補正６】
【補正対象書類名】明細書
【補正対象項目名】００１３
【補正方法】変更
【補正の内容】
【００１３】
本発明におけるカプセル型医療装置及びカプセル型医療装置収容用パッケージによると、小型化可能であるとともに、未使用時における消費電力を抑制することができる。
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
固有の識別情報を記憶した記憶部とこの識別情報を含む電波を発信するアンテナ部とを備えた電子タグを、遊技の制御を実行する制御装置に取り付けた遊技機であって、
前記電波を受信することで前記識別情報の読み取りを行うリーダ手段を備え、
前記識別情報が読み取り可能なレベルの電波が到達する電波到達領域に、前記リーダ手段を配置したことを特徴とする遊技機。
【請求項２】
前記リーダ手段は、前記識別情報を呼び出す呼出波を発信する呼出波発信手段と、その呼出波に対する前記電子タグからの応答波を受信する応答波受信手段とを備え、
さらに、前記呼出波を発信してから前記応答波を受信するまでの応答期間を計測する応答期間計測手段と、
予め設定された基準応答期間と前記応答期間計測手段が計測した応答期間とを比較し、その比較結果に基づいて前記計測した応答期間が正常であるか否かを判定する判定手段と、
当該判定手段により前記計測した応答期間が正常ではないと判定された場合に異常処理を実行する異常処理実行手段とを備えたことを特徴とする請求項１に記載の遊技機。
【請求項３】
請求項１に記載の遊技機を備えた不正監視システムであって、
前記リーダ手段は、前記識別情報を呼び出す呼出波を発信する呼出波発信手段と、その呼出波に対する前記電子タグからの応答波を受信する応答波受信手段とを備え、
さらに、前記呼出波を発信してから前記応答波を受信するまでの応答期間を計測する応答期間計測手段と、
予め設定された基準応答期間と前記応答期間計測手段が計測した応答期間とを比較し、その比較結果に基づいて前記計測した応答期間が正常であるか否かを判定する判定手段と、
当該判定手段により前記計測した応答期間が正常ではないと判定された場合に異常処理を実行する異常処理実行手段とを備えたことを特徴とする不正監視システム。
【請求項４】
固有の識別情報を記憶した記憶部とこの識別情報を含む電波を発信するアンテナ部とを備えた電子タグを、遊技の制御を実行する制御装置に取り付けた遊技機であって、
前記識別情報の読み取り作業に際して、前記電波を受信することで前記識別情報の読み取りを行うリーダ装置を、前記識別情報が読み取り可能なレベルの電波が到達する電波到達領域に位置決めするために使用される位置決め手段を設けたことを特徴とする遊技機。
【請求項５】
前記位置決め手段は、前記電子タグと対峙するようにして設けられたリーダ装置当接部であることを特徴とする請求項４に記載の遊技機。
【請求項６】
前記リーダ装置当接部を、前記電波を透過可能な材料により形成するとともに、前記電子タグと対峙する側とは反対側に前記リーダ装置における前記電波の受信部側の端部を当接させるよう形成したことを特徴とする請求項５に記載の遊技機。
【請求項７】
取付対象に対して遊技機前方に回動可能に取り付けられたベース体を備え、当該ベース体の背面に前記制御装置を配設し、
前記電波到達領域を前記ベース体の背面における回動先端側に設定するとともに、前記位置決め手段を前記ベース体の背面における前記回動先端側に設けたことを特徴とする請求項４乃至６のいずれか１に記載の遊技機。
【請求項８】
前記位置決め手段は、前記リーダ装置における前記電波を受信する受信部と前記電子タグとの間の距離が常に一定となるよう前記リーダ装置の位置を規定することを特徴とする請求項４乃至７のいずれか１に記載の遊技機。
【請求項９】
請求項４乃至８のいずれか１に記載の遊技機を備えた不正監視システムであって、
前記リーダ装置は、前記識別情報を呼び出す呼出波を発信する呼出波発信手段と、その呼出波に対する前記電子タグからの応答波を受信する応答波受信手段とを備え、
さらに、前記呼出波を発信してから前記応答波を受信するまでの応答期間を計測する応答期間計測手段と、
予め設定された基準応答期間と前記応答期間計測手段が計測した応答期間とを比較し、その比較結果に基づいて前記計測した応答期間が正常であるか否かを判定する判定手段と、
当該判定手段により前記計測した応答期間が正常ではないと判定された場合に異常処理を実行する異常処理実行手段とを備えたことを特徴とする不正監視システム。
【手続補正２】
【補正対象書類名】明細書
【補正対象項目名】発明の名称
【補正方法】変更
【補正の内容】
【発明の名称】遊技機及び不正監視システム
【手続補正３】
【補正対象書類名】明細書
【補正対象項目名】０００１
【補正方法】変更
【補正の内容】
【０００１】
本発明は、遊技機及び不正監視システムに関するものである。
【手続補正４】
【補正対象書類名】明細書
【補正対象項目名】０００９
【補正方法】変更
【補正の内容】
【０００９】
本発明は、上記例示した事情等に鑑みてなされたものであり、電子タグを利用した不正発見作業を良好に行うことができる遊技機及び不正監視システムを提供することを目的とするものである。
【手続補正書】
【提出日】平成21年9月30日(2009.9.30)
【手続補正１】
【補正対象書類名】明細書
【補正対象項目名】００１７
【補正方法】変更
【補正の内容】
【００１７】
図２は刺繍機１によって加工される刺繍加工品の一例を示す。この刺繍加工品２１は、スポーツバッグ等の縫製品の外張りとして用いられる厚さが約２ｍｍの合成皮革製のベースシート２２と、ベースシート２２の表面にマーク「ＢＤＮ」を表す三つのデザインピース２３とを備えている。各デザインピース２３は、文字「Ｂ」、「Ｄ」、「Ｎ」を表す第一デザインピース２３Ａと、異なる表面色で文字に影を付ける第二デザインピース２３Ｂとで構成されている。第一デザインピース２３Ａは輪郭線２６Ａの内側を環状に延びる縁取り縫目２７Ａによりベースシート２２に縫い付けられている。第二デザインピース２３Ｂは輪郭線２６Ｂの内側を環状に延びる縁取り縫目２７Ｂによりベースシート２２に縫い付けられている。そして、二つのデザインピース２３Ａ，２３Ｂが約５ｍｍの間隔をあけて互いに接近する状態でベースシート２２上に張り付けられている。なお、第二デザインピース２３Ｂは文字形状に応じて複数片に分割されているが、以下では、複数片を一つのデザインピースとみなして説明する。
【手続補正書】
【提出日】平成21年7月14日(2009.7.14)
【手続補正１】
【補正対象書類名】明細書
【補正対象項目名】発明の名称
【補正方法】変更
【補正の内容】
【発明の名称】画像符号化装置及び方法
【手続補正２】
【補正対象書類名】明細書
【補正対象項目名】特許請求の範囲
【補正方法】変更
【補正の内容】
【特許請求の範囲】
【請求項１】  画像データを圧縮符号化して得られる圧縮画像データを有する画像ファイルを生成する画像符号化装置であって、
入力画像データをウェーブレット変換を用いた圧縮符号化方法で圧縮符号化し、第１の圧縮画像データとして出力する第１の符号化手段と、
前記入力画像データを離散コサイン変換を用いた圧縮符号化方法で圧縮符号化し、第２の圧縮画像データとして出力する第２の符号化手段と、
前記入力画像データを表す１つの画像ファイルを、前記第１及び第２の圧縮画像データの大きさの情報、前記第１及び第２の圧縮画像データの圧縮符号化方法の情報、及び前記画像ファイル中における前記第１及び第２の圧縮画像データの開始位置の情報の少なくとも１つと、前記第１及び第２の圧縮画像データと、を用いて生成する画像ファイル生成手段とを有し、
前記第１の符号化手段と前記第２の符号化手段による圧縮符号化が、並列、かつ独立に実行されることを特徴とする画像符号化装置。
【請求項２】  前記第２の符号化手段が、前記入力画像データを所定の大きさに縮小する画像縮小手段を有し、前記所定の大きさに縮小した前記入力画像データに対して前記離散コサイン変換を用いた圧縮符号化を行い、前記第２の圧縮画像データとして出力することを特徴とする請求項１記載の画像符号化装置。
【請求項３】  画像データを圧縮符号化して得られる圧縮画像データを有する画像ファイルを画像符号化装置によって生成する画像符号化方法であって、
入力画像データをウェーブレット変換を用いた圧縮符号化方法で圧縮符号化し、第１の圧縮画像データとして出力する第１の符号化ステップと、
前記入力画像データを離散コサイン変換を用いた圧縮符号化方法で圧縮符号化し、第２の圧縮画像データとして出力する第２の符号化ステップと、
前記入力画像データを表す１つの画像ファイルを、前記第１及び第２の圧縮画像データの大きさの情報、前記第１及び第２の圧縮画像データの圧縮符号化方法の情報、及び前記画像ファイル中における前記第１及び第２の圧縮画像データの開始位置の情報の少なくとも１つと、前記第１及び第２の圧縮画像データと、を用いて生成する画像ファイル生成ステップとを有し、
前記第１の符号化ステップと前記第２の符号化ステップによる圧縮符号化が、並列、かつ独立に実行されることを特徴とする画像符号化方法。
【請求項４】  請求項３記載の画像符号化方法の各ステップをコンピュータに実行させるためのプログラムを格納したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、画像データを符号化してそのデータ量を圧縮したファイルを作成する画像符号化装置及び画像符号化方法に関するものである。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
【課題を解決するための手段】
すなわち、本発明の要旨は、画像データを圧縮符号化して得られる圧縮画像データを有する画像ファイルを生成する画像符号化装置であって、入力画像データをウェーブレット変換を用いた圧縮符号化方法で圧縮符号化し、第１の圧縮画像データとして出力する第１の符号化手段と、入力画像データを離散コサイン変換を用いた圧縮符号化方法で圧縮符号化し、第２の圧縮画像データとして出力する第２の符号化手段と、入力画像データを表す１つの画像ファイルを、第１及び第２の圧縮画像データの大きさの情報、第１及び第２の圧縮画像データの圧縮符号化方法の情報、及び画像ファイル中における第１及び第２の圧縮画像データの開始位置の情報の少なくとも１つと、第１及び第２の圧縮画像データと、を用いて生成する画像ファイル生成手段とを有し、第１の符号化手段と第２の符号化手段による圧縮符号化が、並列、かつ独立に実行されることを特徴とする画像符号化装置に存する。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
また、本発明の別の要旨は、画像データを圧縮符号化して得られる圧縮画像データを有する画像ファイルを画像符号化装置によって生成する画像符号化方法であって、入力画像データをウェーブレット変換を用いた圧縮符号化方法で圧縮符号化し、第１の圧縮画像データとして出力する第１の符号化ステップと、入力画像データを離散コサイン変換を用いた圧縮符号化方法で圧縮符号化し、第２の圧縮画像データとして出力する第２の符号化ステップと、入力画像データを表す１つの画像ファイルを、第１及び第２の圧縮画像データの大きさの情報、第１及び第２の圧縮画像データの圧縮符号化方法の情報、及び画像ファイル中における第１及び第２の圧縮画像データの開始位置の情報の少なくとも１つと、第１及び第２の圧縮画像データと、を用いて生成する画像ファイル生成ステップとを有し、第１の符号化ステップと第２の符号化ステップによる圧縮符号化が、並列、かつ独立に実行されることを特徴とする画像符号化方法に存する。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
少なくとも波長４００〜４１５ｎｍの光ビームを出射する光源と、開口数が０．６以上とされ、上記光源から出射された光ビームを光ディスクの信号記録面上に集光する結像光学系とを有する光学系を備え光ディスクに対して情報の再生を行う光ピックアップにおいて、
上記光源から出射される光ビームのエネルギーの５０％を含むスペクトラム幅をＷ（ｎｍ）とし、上記光学系の色収差をＣ（μｍ／ｎｍ）とし、上記光源から出射される光ビームの波長をＬ（ｎｍ）とし、上記結像光学系の開口数をＮＡとしたとき、式（１）を満たす光ピックアップ。
０．１５＜（Ｗ×Ｃ）／（Ｌ／ＮＡ２）＜０．５ ・・・（１）
【請求項２】
上記光学系の色収差が０．２９〜１．０μｍ／ｎｍである請求項１記載の光ピックアップ。
【請求項３】
少なくとも波長４００〜４１５ｎｍの光ビームを出射する光源と、開口数が０．６以上とされ、上記光源から出射された光ビームを光ディスクの信号記録面上に集光する結像光学系とを有する光学系を備え光ディスクに対して情報の再生及び記録を行う光ピックアップにおいて、
上記光源から出射される光ビームのエネルギーの５０％を含むスペクトラム幅をＷ（ｎｍ）とし、再生時と記録時との上記光源から出射される光ビームの波長の差をＪ（ｎｍ）とし、上記光学系の色収差をＣ（μｍ／ｎｍ）とし、上記光源から出射される光ビームの波長をＬ（ｎｍ）とし、上記結像光学系の開口数をＮＡとしたとき、式（２）及び式（３）を満たす光ピックアップ。
０．１５＜（Ｗ×Ｃ）／（Ｌ／ＮＡ２）＜０．５ ・・・（２）
０．１５＜（Ｊ×Ｃ）／（Ｌ／ＮＡ２）＜０．５ ・・・（３）
【請求項４】
上記光学系の色収差が０．２９〜１．０μｍ／ｎｍである請求項３記載の光ピックアップ。
【手続補正２】
【補正対象書類名】明細書
【補正対象項目名】００１３
【補正方法】変更
【補正の内容】
【００１３】
また、本発明に係る光ピックアップは、上記光学系の色収差が０．２９〜１．０μｍ／ｎｍであるよう構成しても良い。
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
基板の最上層の配線層上に、この配線層を覆うとともに平坦面を形成する平坦化層を形成し、この上にパッシベーション膜を成膜した後、
この上に厚膜を形成して、この厚膜に溝を形成し、
次に、厚膜の平坦面と、溝の斜面をなす第二の斜面、ならびに、頂部または底部に巨大磁気抵抗素子のバイアス磁石部を形成し、この上に巨大磁気抵抗素子膜を成膜し、
次いで、巨大磁気抵抗素子膜の一部をエッチングにより除去して、厚膜の平坦面、および、溝の斜面のうち上記パッシベーション膜側の第一の面に巨大磁気抵抗素子の帯状部を形成し、この上に保護膜を成膜することを特徴とする磁気センサの製造方法。
【請求項２】
基板の最上層の配線層上に、この配線層を覆うとともに平坦面を形成する平坦化層を形成し、この上にパッシベーション膜を成膜した後、
この上に厚膜を形成し、さらにこの厚膜上にレジスト膜を形成し、
このレジスト膜のうち、一部を除去し、残ったレジスト膜に加熱処理を施して、レジスト膜の側面を傾斜面となし、
次いで、レジスト膜と厚膜とを、そのエッチング選択比がほぼ１ ： １ となるエッチング条件でエッチングして、厚膜に溝を形成し、
次に、厚膜の平坦面と、溝の斜面をなす第二の斜面、ならびに、頂部または底部に巨大磁気抵抗素子のバイアス磁石部を形成し、この上に巨大磁気抵抗素子膜を成膜した後、基板をマグネットアレイ上に置いて熱処理を施し、
次いで、巨大磁気抵抗素子膜の一部をエッチングにより除去して、厚膜の平坦面、および、溝の斜面のうち上記パッシベーション膜側の第二の斜面に巨大磁気抵抗素子の帯状部を形成し、この上に保護膜を成膜することを特徴とする磁気センサの製造方法。
【手続補正２】
【補正対象書類名】明細書
【補正対象項目名】００１０
【補正方法】変更
【補正の内容】
【００１０】
かかる課題を解決するため、
請求項１にかかる発明は、基板の最上層の配線層上に、この配線層を覆うとともに平坦面を形成する平坦化層を形成し、この上にパッシベーション膜を成膜した後、
この上に厚膜を形成して、この厚膜に溝を形成し、
次に、厚膜の平坦面と、溝の斜面をなす第二の斜面、ならびに、頂部または底部に巨大磁気抵抗素子のバイアス磁石部を形成し、この上に巨大磁気抵抗素子膜を成膜し、
次いで、巨大磁気抵抗素子膜の一部をエッチングにより除去して、厚膜の平坦面、および、溝の斜面のうち上記パッシベーション膜側の第一の面に巨大磁気抵抗素子の帯状部を形成し、この上に保護膜を成膜することを特徴とする磁気センサの製造方法。
【手続補正３】
【補正対象書類名】明細書
【補正対象項目名】００１１
【補正方法】変更
【補正の内容】
【００１１】
請求項２にかかる発明は、基板の最上層の配線層上に、この配線層を覆うとともに平坦面を形成する平坦化層を形成し、この上にパッシベーション膜を成膜した後、
この上に厚膜を形成し、さらにこの厚膜上にレジスト膜を形成し、
このレジスト膜のうち、一部を除去し、残ったレジスト膜に加熱処理を施して、レジスト膜の側面を傾斜面となし、
次いで、レジスト膜と厚膜とを、そのエッチング選択比がほぼ１ ： １ となるエッチング条件でエッチングして、厚膜に溝を形成し、
次に、厚膜の平坦面と、溝の斜面をなす第二の斜面、ならびに、頂部または底部に巨大磁気抵抗素子のバイアス磁石部を形成し、この上に巨大磁気抵抗素子膜を成膜した後、基板をマグネットアレイ上に置いて熱処理を施し、
次いで、巨大磁気抵抗素子膜の一部をエッチングにより除去して、厚膜の平坦面、および、溝の斜面のうち上記パッシベーション膜側の第二の斜面に巨大磁気抵抗素子の帯状部を形成し、この上に保護膜を成膜することを特徴とする磁気センサの製造方法。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
請求項１ないし２に記載の発明によれば、溝の形成と、この溝の斜面への巨大磁気抵抗素子の形成と、ビア部およびパッド部の形成が一連のプロセスとして行えることになる。また、厚膜に形成される溝の斜面のうち、パッシベーション膜側の第一の面に巨大磁気抵抗素子膜の帯状部を設けることにより、帯状部の表面は、より均一な平坦面をなす。したがって、このような斜面に巨大磁気抵抗素子の帯状部が設けられた磁気センサを、Ｚ軸センサの感知軸の向きが揃った、感度の高いものとすることができる。
【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
処理体の周縁部を処理液により処理する処理装置であって、
前記被処理体を載置保持可能なテーブルと、
前記処理液を保持可能かつ前記被処理体の前記周縁部を挿入可能な処理液保持空間を有する処理液ユニットと、
前記処理液保持空間に処理液を供給する処理液供給手段と、
前記処理液ユニットを回転させる回転手段とを有し、
前記処理液ユニットは、前記処理液保持空間内の処理液の最大液面レベルを規定するオーバーフロードレインポートを有すること
を特徴とする処理装置。
【請求項２】
前記オーバーフロードレインポートは、その一端が前記処理液保持空間における開口寄りの部分に通じていることを特徴とする請求項１記載の処理装置。
【請求項３】
前記処理液ユニットは、前記処理液保持空間から前記処理液を排出する処理液排出口を有することを特徴とする請求項１または２に記載の処理装置。
【請求項４】
前記処理液排出口に遮断弁を設けたことを特徴とする請求項３記載の処理装置。
【請求項５】
前記テーブルを前記処理液ユニットの回転方向とは逆方向に回転させる回転手段をさらに備えたことを特徴とする請求項１〜４のいずれか１つに記載の処理装置。
【請求項６】
前記処理液供給手段は処理液ノズルであって、この処理液ノズルの一端は処理液供給源に接続され、他端は前記処理液供給ユニットの処理液保持空間に向けて延び、かつその先端側は前記処理液ユニットの回転方向側に傾いていることを特徴とする請求項１〜５のいずれか１つに記載の処理装置。
【請求項７】
被処理体の周縁部を処理液により処理する処理方法であって、
前記処理液が保持可能な処理液保持空間を有する処理液ユニットの回転中心と、前記被処理体の中心とがほぼ同軸となるように、かつ前記周縁部が前記処理液保持空間に挿入されるように前記被処理体を載置保持する工程と、
前記処理液ユニットを回転させる工程と、
前記処理液ユニットを回転させた状態で、前記処理液を前記処理液保持空間に供給する工程とを備え、
前記処理液を前記処理液保持空間に供給する際、前記処理液保持空間内の処理液の最大液面レベルがオーバーフロードレインポートにより規定されるようにしたこと
を特徴とする処理方法。
【請求項８】
前記処理液ユニットを回転させるとともに前記被処理体をその逆方向に回転させる工程を含んでいることを特徴とする請求項７記載の処理方法。
【手続補正２】
【補正対象書類名】明細書
【補正対象項目名】００２６
【補正方法】変更
【補正の内容】
【００２６】
図４に表されるように、処理液保持部４ｃ及びこの下のハウジング５を貫通して上下シャフト１９ａ、１９ｂが設けられている。図４では、２本の上下シャフト１９ａ、１９ｂのみが図示されているが、図３に表されるように、例えば全部で４本の上下シャフト１９ａ〜１９ｄが、処理液ユニット４の周方向に沿って配置されて設けられている。上下シャフト１９ａと１９ｃとが、処理液ユニット４及びテーブル２の中心Ｏを挟んで対向し、上下シャフト１９ｂと１９ｄとが、上記中心Ｏを挟んで対向している。なお、上下シャフトの本数、配置は適宜選択が可能である。各上下シャフト１９ａ〜１９ｄの上端部は、上面板４ａに固定されている。
【手続補正３】
【補正対象書類名】明細書
【補正対象項目名】００２９
【補正方法】変更
【補正の内容】
【００２９】
処理液ノズル９は、シャフト３と回転シャフト６との間を通され、さらに処理液ユニット４の回転中心Ｏ（図３参照）から径外方に延び、さらにここから上方に延び、さらに処理液保持空間４ｉに向けて延びている。処理液ノズル９の先端は、テーブル２に載置保持された基板Ｗの下方に位置する。また、図３に表されるように、処理液ノズル９の先端側の部分は、回転中心Ｏから径外方に延びる部分に対して、処理液ユニット４の回転方向ｒ側に傾いている。
【手続補正４】
【補正対象書類名】明細書
【補正対象項目名】００４１
【補正方法】変更
【補正の内容】
【００４１】
また、図３に表されるように、処理液ノズル９の先端側の部分を、処理液ユニット４の回転方向ｒ側に傾けることで、回転している処理液保持空間４ｉ内に処置液を円滑に収めて遠心力を作用させることができ、液面の乱れを抑えることができる。
【手続補正５】
【補正対象書類名】明細書
【補正対象項目名】００５４
【補正方法】変更
【補正の内容】
【００５４】
オーバーフロードレインポート２１ａ、ｂのそれぞれの一端は、処理液保持空間４ｉにおける開口寄りの部分に通じ、他端はそれぞれ上面板４ａと処理液保持部４ｃの外部に通じている。処理液保持空間４ｉ内の処理液Ｌの液面（開口寄りの側面）Ｌａがオーバーフロードレインポート２１ａ、ｂに至ると、処理液Ｌはオーバーフロードレインポート２１ａ、ｂを通じて処理液保持空間４ｉから排出される。したがって、処理液保持空間４ｉ内の処理液Ｌは、オーバーフロードレインポート２１ａ、ｂよりも径内方側にはあふれ出すことがなく、基板Ｗ周縁部の処理領域寸法の精度の高い制御を行える。オーバーフロードレインポート２１ａ、ｂは、処理液保持空間４ｉに通じる部分から径外方に延在して形成されているため、処理液ユニット４の回転による遠心力により、処理液Ｌを簡単に排出することができる。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
下面に端子が植設され、中央部に中足コア挿通用の孔が形成され、上面がほぼ平坦状の端子台の前記孔に、断面ほぼ逆Ｔ字状をなす中足付きコアの中足コアを挿通し、端子台と中足付きコアとを一体化する工程と、前記端子台の上面から突出した前記中足コア外周に絶縁テープを巻き、かつ中足コア両端部にマージンテープを巻く工程と、前記中足コアを回転させ前記マージンテープ間に電線を巻いてゆきコイルを巻装する工程と、次いで、連結部の両端部に側足が形成されたほぼコ字状の側足付きＣ型コアを前記端子台の上面側から被せ、前記連結部の内面を前記中足の先端面と接合させ、かつ前記側足下面を前記中足付きコアのコア本体の上面両端部にスペーサを介し連結して組み立てることを特徴とするスイッチングトランスの製造方法。
【請求項２】
上面がほぼ平坦状に形成され、下面側部に端子が植設され、かつ中央部に孔が形成され、前記孔の周囲にリブが形成された端子台と、
前記端子台の下面に位置するコア本体と、前記コア本体の中央部に形成され前記端子台の前記孔を介し挿通されて前記端子台上面から突出した中足コアとを有する、ほぼ逆Ｔ字状の中足付きコアと、
前記中足コア外周に巻かれた絶縁テープと、
前記中足コア両端部にそれぞれ巻かれたマージンテープと、
前記マージンテープ間に巻装されたコイルと、
連結部とその両端部に形成された側足コアとを有し、前記コイルを跨ぐよう前記端子台の上面側から組み込まれ、前記側足コアの下面が前記中足付きコアのコア本体上面両端部にスペーサを介し連結され、前記連結部内面が前記中足コアの先端面と接合するほぼコ字状の側足付きＣ型コアと
を備えてなることを特徴とするスイッチングトランス。
【請求項３】
請求項２記載のスイッチングトランスにおいて、前記端子台の両端面にほぼ矩形の切欠きが形成され、この切欠きに前記中足付きコアのコア本体の両端部が位置し、この両端部に前記側足コアの下面が前記スペーサを介し連結されていることを特徴とするスイッチングトランス。
【手続補正２】
【補正対象書類名】明細書
【補正対象項目名】００１２
【補正方法】変更
【補正の内容】
【００１２】
上記課題を解決するため、請求項１記載のスイッチングトランスの製造方法は、下面に端子が植設され、中央部に中足コア挿通用の孔が形成され、上面がほぼ平坦状の端子台の前記孔に、断面ほぼ逆Ｔ字状をなす中足付きコアの中足コアを挿通し、端子台と中足付きコアとを一体化する工程と、前記端子台の上面から突出した前記中足コア外周に絶縁テープを巻き、かつ中足コア両端部にマージンテープを巻く工程と、前記中足コアを回転させ前記マージンテープ間に電線を巻いてゆきコイルを巻装する工程と、次いで、連結部の両端部に側足が形成されたほぼコ字状の側足付きＣ型コアを前記端子台の上面側から被せ、前記連結部の内面を前記中足の先端面と接合させ、かつ前記側足下面を前記中足付きコアのコア本体の上面両端部にスペーサを介し連結して組み立てることを特徴としている。
請求項２記載のスイッチングトランスは、上面がほぼ平坦状に形成され、下面側部に端子が植設され、かつ中央部に孔が形成され、前記孔の周囲にリブが形成された端子台と、前記端子台の下面に位置するコア本体と、前記コア本体の中央部に形成され前記端子台の前記孔を介し挿通されて前記端子台上面から突出した中足コアとを有する、ほぼ逆Ｔ字状の中足付きコアと、前記中足コア外周に巻かれた絶縁テープと、前記中足コア両端部にそれぞれ巻かれたマージンテープと、前記マージンテープ間に巻装されたコイルと、連結部とその両端部に形成された側足コアとを有し、前記コイルを跨ぐよう前記端子台の上面側から組み込まれ、前記側足コアの下面が前記中足付きコアのコア本体上面両端部にスペーサを介し連結され、前記連結部内面が前記中足コアの先端面と接合するほぼコ字状の側足付きＣ型コアとを備えてなることを特徴としている。
請求項３記載の発明は、請求項２記載のスイッチングトランスにおいて、前記端子台の両端面にほぼ矩形の切欠きが形成され、この切欠きに前記中足付きコアのコア本体の両端部が位置し、この両端部に前記側足コアの下面が前記スペーサを介し連結されていることを特徴としている。
【手続補正３】
【補正対象書類名】明細書
【補正対象項目名】００１３
【補正方法】変更
【補正の内容】
【００１３】
請求項１、２記載の本発明によれば、端子台１の上面１ａから突出した中足コア３ｂの外周にコイル６を巻回するようにしたため、組立作業性が良く、かつ中足コア３ｂ中心部からコイル６までの距離が少なくなるため、カップリングファクター（結合係数）が上がることとなり、これにより効率が向上し、パワーが取れる効果がある。また、上記の生産性、性能向上の効果に加え、巻胴部付きコイルボビンを用いていないため、小型となり、電線、絶縁テープ等の使用量が減り、しかも端子台１は巻胴部がないため、端子台の材料が減り、コストダウンを図ることができる。
また、中足コア３ｂはリブ１ｅによって支持するようにしているため、安定して支持することができる。
請求項３記載の本発明によれば、Ｃ型コア４の側足コア４ｂは端子台１の切欠き１ｃ部分に配置するようにし、端子台１の外側に突出しないようにしたため、小型化を図ることができる。
【手続補正書】
【提出日】平成20年11月21日(2008.11.21)
【手続補正１】
【補正対象書類名】明細書
【補正対象項目名】発明の名称
【補正方法】変更
【補正の内容】
【発明の名称】発光素子
【手続補正２】
【補正対象書類名】特許請求の範囲
【補正対象項目名】全文
【補正方法】変更
【補正の内容】
【特許請求の範囲】
【請求項１】
第１の電極と、第２の電極と、の間に、
一般式（１）で表されるフェナントロリン誘導体と、前記フェナントロリン誘導体に対し電子供与性を示す物質と、を含む層と、
発光物質を含む層と、を有することを特徴とする発光素子。
【化０１】
2007157753.tif 000001
（式中、Ｒ１〜Ｒ５は、それぞれ、炭素数１〜４のアルキル基、またはハロゲン基を表し、Ｒ１〜Ｒ５の少なくとも一はハロゲン基を表す。）
【請求項２】
請求項１において、
前記電子供与性を示す物質は、アルカリ金属酸化物、アルカリ土類金属酸化物、アルカリ金属フッ化物、アルカリ土類フッ化物の中から選ばれる少なくとも一の金属酸化物であることを特徴とする発光素子。
【請求項３】
第１の電極と、第２の電極と、の間に、
第１の層と、第２の層と、第３の層と、を有し、
前記第１の層は、１×１０−６ｃｍ２／Ｖｓ以上の正孔移動度を有する第１の物質と、前記第１の物質に対し電子受容性を示す第２の物質と、を含み、
前記第２の層は、一般式（１）で表されるフェナントロリン誘導体と、前記フェナントロリン誘導体に対し電子供与性を示す第３の物質と、を含み、
前記第３の層は、発光物質を含むことを特徴とする発光素子。
【化０２】
2007157753.tif 000002
（式中、Ｒ１〜Ｒ５は、それぞれ、炭素数１〜４のアルキル基、またはハロゲン基を表し、Ｒ１〜Ｒ５の少なくとも一はハロゲン基を表す。）
【請求項４】
請求項３において、
前記第１の層は、前記第３の層と、前記第１の電極と、の間に設けられており、
前記第２の層は、前記第３の層と、前記第２の電極と、の間に設けられており、
前記第１の電極の電位が、前記第２の電極の電位より高くなるように、前記第１および第２の電極に電圧を印加することによって、前記第３の層から発光が得られることを特徴とする発光素子。
【請求項５】
請求項３または請求項４において、
前記第２の物質は、モリブデン酸化物、バナジウム酸化物、ルテニウム酸化物、レニウム酸化物の中から選ばれる少なくとも一の物質であり、
前記第３の物質は、アルカリ金属酸化物、アルカリ土類金属酸化物、アルカリ金属フッ化物、アルカリ土類フッ化物の中から選ばれる少なくとも一の物質であることを特徴とする発光素子。
【手続補正３】
【補正対象書類名】明細書
【補正対象項目名】０００６
【補正方法】変更
【補正の内容】
【０００６】
【化０１】
2007157753.tif 000003
【手続補正４】
【補正対象書類名】明細書
【補正対象項目名】００２２
【補正方法】変更
【補正の内容】
【００２２】
【化０２】
2007157753.tif 000004
【手続補正５】
【補正対象書類名】明細書
【補正対象項目名】００４４
【補正方法】変更
【補正の内容】
【００４４】
【化０３】
2007157753.tif 000005
【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
ユーザに閲覧させることが必要な閲覧情報が未読であることを示す通知情報を、外部の情報管理サーバから受信する受信手段と、
前記受信手段により受信された通知情報に基づき、前記ユーザが未読の閲覧情報を閲覧したと判定されるまで、前記ユーザにより要求されるデータ処理を制限する制限手段とを有することを特徴とするデータ処理装置。
【請求項２】
前記受信手段により通知情報が受信された場合、前記ユーザが未読の閲覧情報があることを前記ユーザに報知する報知手段を有することを特徴とする請求項１に記載のデータ処理装置。
【請求項３】
前記ユーザが未読の閲覧情報の出力要求を受け付ける受付手段と、
前記受付手段により、前記ユーザが未読の閲覧情報の出力要求が受け付けられた後に、前記ユーザにより要求されたデータ処理を実行するデータ処理実行手段とを有することを特徴とする請求項２に記載のデータ処理装置。
【請求項４】
ユーザの認証を行うユーザ認証手段と、
前記ユーザ認証手段により認証されたユーザに関するユーザ認証情報を、前記外部の情報管理サーバに送信する送信手段とを有し、
前記受信手段は、前記送信手段によりユーザ認証情報が送信された外部の情報管理サーバから、前記ユーザ認証手段により認証されたユーザに閲覧させることが必要な閲覧情報が未読であることを示す通知情報を受信することを特徴とする請求項１〜３の何れか１項に記載のデータ処理装置。
【請求項５】
前記データ処理は、画像を形成するための処理であることを特徴とする請求項１〜４の何れか１項に記載のデータ処理装置。
【請求項６】
ユーザに閲覧させることが必要な閲覧情報が、未読か否かを識別する識別情報を記憶する記憶手段と、
前記ユーザが使用するデータ処理装置からユーザを特定するユーザ情報を受信する受信手段と、
前記受信手段で受信したユーザ情報と前記記憶手段により記憶された識別情報に基づいて、前記ユーザに閲覧させることが必要な閲覧情報が未読であるか否かを判断する判断手段と、
前記判断手段により、前記ユーザに閲覧させることが必要な閲覧情報が未読であると判断された場合、そのことを示す通知情報を前記ユーザが使用するデータ処理装置に送信する送信手段とを有することを特徴とする情報管理サーバ。
【請求項７】
前記ユーザに閲覧させることが必要な閲覧情報を、その閲覧情報の出力先の装置に送信する第２の送信手段を有し、
前記記憶手段は、前記ユーザに閲覧させることが必要な閲覧情報と、その閲覧情報が未読か否かを識別する識別情報とを関連付けて記憶し、
前記第２の送信手段は、前記ユーザに閲覧させることが必要な閲覧情報を、前記記憶手段から読み出して送信することを特徴とする請求項６に記載の情報管理サーバ。
【請求項８】
ユーザに閲覧させることが必要な閲覧情報が未読であることを示す通知情報を、外部の情報管理サーバから受信する通知情報受信ステップと、
前記通知情報受信ステップにより受信された通知情報に基づき、前記ユーザが未読の閲覧情報を閲覧したと判定されるまで、前記ユーザにより要求されるデータ処理を制限する制限ステップとを有することを特徴とするデータ処理方法。
【請求項９】
ユーザに閲覧させることが必要な閲覧情報が、未読か否かを識別する識別情報を記憶媒体に記憶する記憶ステップと、
前記ユーザが使用するデータ処理装置からユーザを特定するユーザ情報を受信する受信ステップと、
前記受信ステップで受信したユーザ情報と前記記憶ステップにより記憶された識別情報に基づいて、前記ユーザに閲覧させることが必要な閲覧情報が未読であるか否かを判断する判断ステップと、
前記判断ステップにより、前記ユーザに閲覧させることが必要な閲覧情報が未読であると判断された場合、そのことを示す通知情報を前記ユーザが使用するデータ処理装置に送信する通知情報送信ステップとを有することを特徴とするデータ処理方法。
【請求項１０】
請求項８または９に記載のデータ処理方法の各ステップをコンピュータに実行させることを特徴とするコンピュータプログラム。
【手続補正２】
【補正対象書類名】明細書
【補正対象項目名】０００８
【補正方法】変更
【補正の内容】
【０００８】
本発明のデータ処理装置は、ユーザに閲覧させることが必要な閲覧情報が未読であることを示す通知情報を、外部の情報管理サーバから受信する受信手段と、前記受信手段により受信された通知情報に基づき、前記ユーザが未読の閲覧情報を閲覧したと判定されるまで、前記ユーザにより要求されるデータ処理を制限する制限手段とを有することを特徴とする。
本発明の情報管理サーバは、ユーザに閲覧させることが必要な閲覧情報が、未読か否かを識別する識別情報を記憶する記憶手段と、前記ユーザが使用するデータ処理装置からユーザを特定するユーザ情報を受信する受信手段と、前記受信手段で受信したユーザ情報と前記記憶手段により記憶された識別情報に基づいて、前記ユーザに閲覧させることが必要な閲覧情報が未読であるか否かを判断する判断手段と、前記判断手段により、前記ユーザに閲覧させることが必要な閲覧情報が未読であると判断された場合、そのことを示す通知情報を前記ユーザが使用するデータ処理装置に送信する送信手段とを有することを特徴とする。
【手続補正３】
【補正対象書類名】明細書
【補正対象項目名】００１０
【補正方法】変更
【補正の内容】
【００１０】
本発明のコンピュータプログラムは、前記データ処理方法の各ステップをコンピュータに実行させることを特徴とする。
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
印刷装置と接続する情報処理装置であって、
入力された文書データを中間データとして保存する文書データ保存手段と、
出力用紙上の前記文書データの配置に関するレイアウト情報を設定するレイアウト情報設定手段と、
前記中間データと、前記設定されたレイアウト情報とに基づいて、印刷イメージを生成する印刷イメージ生成手段と、
前記生成された印刷イメージを表示する表示手段と、
前記文書データを印刷データに変換する印刷データ変換手段と
を備えることを特徴とする情報処理装置。
【請求項２】
前記文書データ保存手段は、入力された文書データの描画データ部分を中間データとして保存することを特徴とする請求項１に記載の情報処理装置。
【請求項３】
前記文書データ保存手段は、入力された文書データを中間データの形式に変換して、文書ページ単位で記憶装置に保存することを特徴とする請求項２に記載の情報処理装置。
【請求項４】
前記レイアウト情報設定手段は、入力された文書データのうち、印刷設定情報と文書ページ情報とを抽出して、出力用紙上の文書データの配置を決定することを特徴とする請求項１に記載の情報処理装置。
【請求項５】
前記レイアウト情報設定手段は、前記印刷設定情報に基づき出力用紙上の文書ページの位置、回転方向、変倍率を含む配置情報を算出し、前記レイアウト情報として出力することを特徴とする請求項４に記載の情報処理装置。
【請求項６】
前記表示手段は、前記中間データと前記レイアウト情報とに基づいて出力画像を生成し、コンピュータ画面に表示することを特徴とする請求項１に記載の情報処理装置。
【請求項７】
前記印刷データ変換手段は、前記レイアウト情報に基づいて前記中間データを印刷データに変換することを特徴とする請求項１に記載の情報処理装置。
【請求項８】
印刷装置と接続する情報処理装置で実行される印刷制御プログラムであって、
入力された文書データを中間データとして保存する文書データ保存手順と、
出力用紙上の前記文書データの配置に関するレイアウト情報を設定するレイアウト情報設定手順と、
前記中間データと、前記設定されたレイアウト情報とに基づいて、印刷イメージを生成する印刷イメージ生成手順と、
前記生成された印刷イメージを表示する表示手順と、
前記文書データを印刷データに変換する印刷データ変換手順と
を前記情報処理装置に実行させることを特徴とする印刷制御プログラム。
【請求項９】
前記文書データ保存手順において、入力された文書データの描画データ部分を中間データとして保存することを特徴とする請求項８に記載の印刷制御プログラム。
【請求項１０】
前記レイアウト情報設定手順において、入力された文書データのうち、印刷設定情報と文書ページ情報とを抽出して、出力用紙上の文書データの配置を決定することを特徴とする請求項８に記載の印刷制御プログラム。
【請求項１１】
前記レイアウト情報設定手順において、前記印刷設定情報に基づき出力用紙上の文書ページの位置、回転方向、変倍率を含む配置情報を算出し、前記レイアウト情報として出力することを特徴とする請求項１０に記載の印刷制御プログラム。
【請求項１２】
請求項８乃至１１のいずれか一項に記載の印刷制御プログラムを記録したコンピュータ読み取り可能な記録媒体。
【請求項１３】
請求項８に記載の印刷制御プログラムから送信される前記印刷データを印刷することを特徴とする印刷装置。
【請求項１４】
請求項８に記載の印刷制御プログラムと、請求項１３に記載の印刷装置とを備えることを特徴とする印刷システム。
【手続補正２】
【補正対象書類名】明細書
【補正対象項目名】００１２
【補正方法】変更
【補正の内容】
【００１２】
上述した課題を解決するために、本発明の情報処理装置は、印刷装置と接続する情報処理装置であって、入力された文書データを中間データとして保存する文書データ保存手段と、出力用紙上の前記文書データの配置に関するレイアウト情報を設定するレイアウト情報設定手段と、前記中間データと、前記設定されたレイアウト情報とに基づいて、印刷イメージを生成する印刷イメージ生成手段と、前記生成された印刷イメージを表示する表示手段と、前記文書データを印刷データに変換する印刷データ変換手段とを備えることを特徴とする。
【手続補正３】
【補正対象書類名】明細書
【補正対象項目名】００１６
【補正方法】変更
【補正の内容】
【００１６】
上記の情報処理装置は、前記レイアウト情報設定手段が、入力された文書データのうち、印刷設定情報と文書ページ情報とを抽出して、出力用紙上の文書データの配置を決定する構成とすることができる。
【手続補正４】
【補正対象書類名】明細書
【補正対象項目名】００１７
【補正方法】変更
【補正の内容】
【００１７】
上記の情報処理装置は、前記レイアウト情報設定手段が、前記印刷設定情報に基づき出力用紙上の文書ページの位置、回転方向、変倍率を含む配置情報を算出し、前記レイアウト情報として出力する構成とすることができる。
【手続補正５】
【補正対象書類名】明細書
【補正対象項目名】００１８
【補正方法】変更
【補正の内容】
【００１８】
上記の情報処理装置は、前記表示手段が、前記中間データと前記レイアウト情報とに基づいて出力画像を生成し、コンピュータ画面に表示する構成とすることができる。
【手続補正６】
【補正対象書類名】明細書
【補正対象項目名】００１９
【補正方法】変更
【補正の内容】
【００１９】
上記の情報処理装置は、前記印刷データ変換手段が、前記レイアウト情報に基づいて前記中間データを印刷データに変換する構成とすることができる。
【手続補正７】
【補正対象書類名】明細書
【補正対象項目名】００２０
【補正方法】変更
【補正の内容】
【００２０】
また、上述した課題を解決するために、本発明の印刷制御プログラムは、印刷装置と接続する情報処理装置で実行される印刷制御プログラムであって、入力された文書データを中間データとして保存する文書データ保存手順と、出力用紙上の前記文書データの配置に関するレイアウト情報を設定するレイアウト情報設定手順と、前記中間データと、前記設定されたレイアウト情報とに基づいて、印刷イメージを生成する印刷イメージ生成手順と、前記生成された印刷イメージを表示する表示手順と、前記文書データを印刷データに変換する印刷データ変換手順とを前記情報処理装置に実行させることを特徴とする。